(57)【要約】      （修正有）【課題】地震等の揺れに見舞われても容易に倒壊することがない石材構造物を提供する。【解決手段】複数のブロック状の石材を積み上げてなる石材構造物において、石材構造物は、一方の石材の当接面に配される凸部２と、他方の石材の被当接面に配され凸部を受け入れる凹部３とを備えており、凸部は、凸部の突出方向に直交する向きに隆起する脱落防止突起２１を備え、凹部は、一方の石材と他方の石材を当接させた際に脱落防止突起を受け入れるガイド溝３１と、ガイド溝に隣接して配されガイド溝に連通する脱落防止溝を備え、一方の石材と他方の石材を当接させた状態で一方の石材又は他方の石材のいずれかを水平方向に回転させた際に脱落防止突起を脱落防止溝に嵌合させて一方の石材と他方の石材を固定する。【選択図】図１
2013147866.tif 000002
【特許請求の範囲】
【請求項１】
複数のブロック状の石材を積み上げてなる石材構造物において、
該石材構造物は、一方の石材に配される凸部と、他方の石材に配され前記凸部を受け入れる凹部とを備えており、
前記凸部は、凸部の突出方向に直交する向きに隆起する脱落防止突起を備え、
前記凹部は、一方の石材と他方の石材を当接させた際に脱落防止突起を受け入れるガイド溝と、ガイド溝に隣接して配されガイド溝に連通する脱落防止溝を備え、
一方の石材と他方の石材を当接させた状態で一方の石材又は他方の石材のいずれかを水平方向に回転させた際に脱落防止突起を脱落防止溝に嵌合させて一方の石材と他方の石材を固定することを特徴とする石材構造物。
【請求項２】
脱落防止突起は、その高さを凸部の高さよりも小さく構成した突起であって、脱落防止突起の回転方向に平行な面を脱落防止突起の回転方向に向けて傾斜する傾斜面とした請求項１に記載の石材構造物。
【請求項３】
脱落防止突起は、その高さを凸部の高さよりも小さく構成した突起であって、脱落防止突起の回転方向に平行な面を脱落防止突起の隆起方向に向けて傾斜する傾斜面とした請求項１又は２に記載の石材構造物。
【請求項４】
石材を水平方向に回転させた状態において、脱落防止突起と脱落防止溝の間に衝撃吸収材を介装させた請求項１ないし３のいずれかに記載の石材構造物。
【発明の詳細な説明】
【技術分野】
【０００１】
本発明は、石材が水平方向に回転したり、垂直方向に脱落しないように構成した複数の石材からなる石材構造物に関する。本明細書では、連結される一対の石材のうちの一方を「一方の石材」と呼び、他方を「他方の石材」と呼ぶ。
【背景技術】
【０００２】
墓石や、灯篭等の石材構造物は複数のブロック状の石材を積み上げて構成する。石材を積み上げる際には、墓石の垂直方向に鉄芯を入れたり、特許文献１のように嵌め込み用の突起と、突起を受け入れる凹穴を各ブロックに設けて、両者を嵌合させたりして、水平方向の外力が墓石に加えられても、容易に倒壊しないように配慮されている。
【０００３】
しかし、地震が発生した場合は、墓石は横揺れだけでなく縦揺れにも見舞われる。特に強い縦揺れが発生した場合は鉄芯や、突起と凹穴の嵌合による固定では不十分であり、縦揺れにより石材が垂直方向に抜けてしまうという問題があった。
【０００４】
一方、特許文献２のように嵌め込み用の鍔付突起と、突起を受け入れる爪付き凹穴を各ブロックに設けて両者を嵌合させて外力が墓石に加えられても容易に倒壊しないように構成した墓石も提案されている。
【０００５】
しかし、特許文献２の鍔付突起と、爪付き凹穴は、墓石の水平回転を規制する手段を備えない。そのため、地震等の揺れにより石材が凹穴の円周方向に回転し、やがては凹穴から鍔付突起が抜けてしまうという問題があった。また、凹穴の爪部６は加工が難しいことに加えて、揺れ等の外力により破損しやすい点も問題であった。
【先行技術文献】
【特許文献】
【０００６】
【特許文献１】特開２００２−３７１７２９号公報
【特許文献２】特開２０１１−０３２８１３号公報
【発明の概要】
【発明が解決しようとする課題】
【０００７】
地震等の揺れに見舞われても容易に倒壊することがない石材構造物を提供する。より具体的には、水平方向、垂直方向、又は斜め方向のいずれの外力が作用しても容易に倒壊することのない石材構造物を提供する。
【課題を解決するための手段】
【０００８】
複数のブロック状の石材を積み上げてなる石材構造物において、該石材構造物は、一方の石材に配される凸部と、他方の石材に配され前記凸部を受け入れる凹部とを備えており、前記凸部は、凸部の突出方向に直交する向きに隆起する脱落防止突起を備え、前記凹部は、一方の石材と他方の石材を当接させた際に脱落防止突起を受け入れるガイド溝と、ガイド溝に隣接して配されガイド溝に連通する脱落防止溝を備え、一方の石材と他方の石材を当接させた状態で一方の石材又は他方の石材のいずれかを水平方向に回転させた際に脱落防止突起を脱落防止溝に嵌合させて一方の石材と他方の石材を固定することを特徴とする石材構造物により、上記の課題を解決する。
【０００９】
脱落防止突起は、その高さを凸部の高さよりも小さく構成した突起とし、脱落防止突起の回転方向に平行な面を脱落防止突起の回転方向に向けて傾斜する傾斜面とすることが好ましい。これにより、脱落防止突起と脱落防止溝との接触面積を増大させて、一方の石材と他方の石材を強固に固定することができる。また、脱落防止突起は、回転方向に平行な面を脱落防止突起の隆起方向に向けて傾斜する傾斜面とすることが好ましい。これにより、脱落防止突起と脱落防止溝との接触面積をさらに増大させて一方の石材と他方の石材を強固に固定することができる。
【００１０】
石材を水平方向に回転させた状態において、脱落防止突起と脱落防止溝の間に衝撃吸収材を介装させることが好ましい。衝撃吸収材により脱落防止突起と脱落防止溝の隙間を埋めて一方の石材と他方の石材を強固に固定することができる。また、衝撃吸収材で揺れによる外力を吸収し、石材構造物がぐらついて倒壊するおそれを減じることができる。
【発明の効果】
【００１１】
本発明の石材構造物は、石材の凸部に配される回転防止突起と、凸部を受け入れる凹部に配される回転防止溝を有する。石材を水平方向に回転させた際に回転防止突起は、回転防止溝に嵌合し、一方の石材と他方の石材を強固に固定する。本発明の石材構造物は、回転防止突起が回転防止溝に嵌め込まれるので、水平方向、水平方向、又は斜め方向の外力が加えられても、容易に倒壊することがない。また、一方の石材と他方の石材を連結する際に、回転防止突起が回転防止溝の壁面に当接して回転が止まるため、位置決めが容易である。
【図面の簡単な説明】
【００１２】
【図１】本発明の一実施例である墓石の分解斜視図である。
【図２】図１の凸部のみを示した斜視図である。
【図３】図２の凸部の平面図である。
【図４】図１の上台の平面図である。
【図５】図４の凹穴のみを分離して示した斜視図である。
【図６】図３の凸部の正面図である。
【図７】図６のA-A部分の断面図である。
【図８】図１の布団石と上台を連結した状態を示す斜視図である。
【図９】図８のB−B部分の断面図である。
【図１０】他の実施例の凸部の正面図である。
【発明を実施するための形態】
【００１３】
以下、図面を参照して本発明を実施するための形態について説明する。
【００１４】
図１は、本発明の一実施例である墓石１の分解斜視図である。本実施例の墓石１は四ツ石１１と、下台１２と、上台１３と、布団石１４と、竿石１５と、からなり、これらを記載した順に高さ方向に積み上げて構成される。本実施例では、基本的な墓石１を例示するが、石材構造物を構成する石材の数や構成は特に限定されず、竿石１５の上に、球体の玉ブロック、及び笠ブロックを積み上げた墓石としたり、火袋を追加して灯篭としてもよい。
【００１５】
図１の墓石１は、一方の石材の当接面に配される凸部２と、他方の石材の当接面に配され前記凸部２を受け入れる凹部３とを備える。具体的には、上台１３と布団石１４は、下方に突出する凸部２と、石材の上面の凹穴３を両方備え、竿石１５は下方に突出する凸部２のみを備え、下台１２は石材の上面に凹穴３のみを備える。図１の墓石では、凸部２が石材の下面から下方に突出する構成を例示したが、凸部２と凹部３の位置関係を逆にして、凸部２を石材の上面に配して上方に突出するように構成してもよい。
【００１６】
各凸部２は、図１ないし図３に示したように、凸部２の突出方向（図１の下方）に直交する向きに隆起する脱落防止突起２１を備える。なお、図９に示したように、本実施例の凸部２は、上台１３や布団石１４と一体の部材であるが、構造をわかりやすくするために、図２の斜視図、及び図３の平面図では凸部２のみを分離して示した。勿論、凸部２と上台１３等とは別体として構成し、任意の固定手段を用いて、相互に連結してもよい。
【００１７】
一方、凸部２を受け入れる凹穴３は、図１、図４及び図５に示したように、脱落防止突起２１を受け入れるガイド溝３１と、ガイド溝３１に隣接して配されガイド溝３１に連通する脱落防止溝３２と、を備える。なお、図４においては、ガイド穴３１の平面視形状を示すために一例として、上台１３の平面図を示したが、本実施例の布団石１４及び下台３１の凹穴３の形状も同一である。図４においては、脱落防止溝３２は破線で示した。また、本来、凹穴３は布団石１４、上台１３、及び下台１２と不可分であるが、凹穴３の形状を理解するために、図５では凹穴３のみを分離して示した。
【００１８】
図２及び図５の斜視図と、図３及び図４の平面図から明らかなように、本実施例の凸部２と凹部３は略同形の円柱であり、凹部３に凸部２を収容し、凸部２が水平方向に回転できる程度に凹部３をやや大きく構成している。また、ガイド溝３１の幅は、脱落防止突起２１の幅よりもやや大きく構成し、一方の石材と他方の石材を接面させるときに、脱落防止突起２１がガイド溝３１の壁面にひっかかることなく収容されるようにしている。また、本実施例の脱落防止溝３２は脱落防止突起２１の外形と略同形の溝であり、脱落防止突起２１が脱落防止溝３２に嵌合する程度の大きさにしている。脱落防止突起２１の形状は、脱落防止溝３２に嵌合できる限り特に限定されず、例えば、図５等に示したような略長方形状の突条としてもよいし、正面視三角形状や、方形状であってもよい。
【００１９】
布団石１４と、上台１３の連結作業を例に、墓石１の連結方法を説明する。まず、布団石１４の脱落防止突起２１の位置を、上台１３のガイド溝３１の位置に合わせて布団石１４を降下させると、円柱形の凸部２の底面が、凹穴３の底面に接面して停止する。次いで、布団石１４を水平方向（図１の例では時計回り）に回転させると、脱落防止突起２１が脱落防止溝３２に嵌り込み、布団石１４と上台１３が強固に固定される（図８の状態）。布団石１４の回転は、脱落防止突起２１が脱落防止溝３２の壁面に当接することにより規制されるので、布団石１４と上台１３の位置決めが容易である。下台１２と上台１３、及び布団石１４と竿石１５の連結も同様にして行う。
【００２０】
上記の例では凸部２として、円柱形状の凸部を例示したが、その形状は特に限定されず、例えば五角柱、六角柱等の多角形の柱でも構わない。しかし、凹穴３の形状に合わせて円柱形状にすれば、外力が加えられた際に凸部２と凹穴３の間でガタつきが生じにくいので好ましい。
【００２１】
脱落防止溝３２の高さ（ｈ1）は、図５に示したように、ガイド溝３１の高さ（ｈ2）よりも小さくする（ｈ１＜ｈ２）。これにより、脱落防止突起２１の上面２１１が嵌合するための脱落防止溝３２の上壁３２１を形成することができる。脱落防止突起２１も同様に、図６に示したように、その高さ（ｈ3）を、凸部２の高さ（ｈ４）よりも小さく構成する。これにより、脱落防止溝３２の上壁３２１に接面する上面２１１を脱落防止突起２１に形成することができる。脱落防止突起２１の上面２１１は、図６に示したように脱落防止突起２１が回転する方向に向けて降る傾斜面とすることが好ましい。また、上面２１１は図７の断面図に示したように脱落防止突起２１の隆起方向に向けて降る傾斜面とすることが好ましい。上面２１１を傾斜面とすることで、上面の面積を大きくし脱落防止溝３２との接触面積を増大させて、両者のねじ込みにより嵌合をより強固にすることができる。この際、脱落防止溝３２の上壁３２１は、上面２１１と同様に傾斜させる。
【００２２】
脱落防止溝３２には、図５に示したように、側壁３２２を設けることが好ましい。側壁３２２を設けることで、脱落防止突起２１の側面２１２を当接させて、墓石の水平方向への回転を規制することができる。上述のように脱落防止溝３２の上壁３２１を傾斜面とする場合は、上壁３２１と脱落防止突起２１の上面２１１が接面することによって、水平方向への回転が規制されるので、側壁３２２を省略しても構わない。
【００２３】
図９に示したように、一方の石材と他方の石材を水平方向に回転させて両者を固定した状態において脱落防止突起２１と脱落防止溝３２の間に衝撃吸収材４が介装されるようにしてもよい。なお、図９は図８のB−B部分における断面図であり、図８は上台１３と、下台を連結した状態を示した斜視図である。ここでは、下台１３と上台１３の脱落防止突起２１と脱落防止溝３２の間に衝撃吸収材４を介装させる例を示したが、竿石１５及び布団石１４の連結や、上台１３及び下台１２の連結に際して衝撃吸収材４を介装させてもよい。
【００２４】
衝撃吸収材４としては、各種の合成ゴムや天然ゴム等の弾性素材を使用すればよい。合成ゴムとしては、例えば、ジエン系ゴム（ブタジエンゴム、スチレン−ブタジエンゴム、イソプレンゴム、クロロプレンゴム、アクリロニトリルーブタジエンゴム）、オレフィン系ゴム（ブチルゴム、エチレン−プロピレンゴム、エチレン−錯ビゴム、アクリルゴム）、ポリウレタンゴム、シリコーンゴム、フッ素ゴム等が挙げられる。また、軟質ポリ塩化ビニル樹脂、ポリ酢酸ビニル樹脂、酢酸ビニル共重合体樹脂などの軟質樹脂も使用することができる。これらの中でも触媒を添加することにより硬化する２液混合型のシリコーンゴムを用いることが好ましい。２液混合型のシリコーンゴムであれば、任意の個所に液体塗布して、硬化させることができるので、適用作業が簡便である。
【００２５】
衝撃吸収材４を介装させれば、石材構造物を構成する石材の揺れを吸収し、揺れによる石材構造物の倒壊を効果的に防ぐことができる。また、衝撃吸収材を介装させれば脱落防止溝３２の加工誤差を吸収することができるので、石材の加工が容易になる。さらには、衝撃吸収材４が変形することによって、脱落防止突起２１を締め込むことができるので、より強固に石材を固定することが可能になる。したがって、衝撃吸収材は脱落防止突起２１の上面２１１や後述する下面２１２等の嵌合面に適用することが好ましい。
【００２６】
図１ないし図９の例では、脱落防止突起２１の下面（底面）と凸部２の底面とが面一である構成を例示したが、図１０に示したように、脱落防止突起２１が凸部２の高さ方向の中ほどに位置するようにしてもよい。この際、脱落防止突起２１の回転方向に平行な面、すなわち脱落防止突起２１の上面２１１又は下面２１３を脱落防止突起２１の回転方向に傾斜させるとよい。図１０に示したように上面２１１及び下面２１３の両方を回転方向に向けて傾斜させて、凹穴に対応する形状の脱落防止溝を設ければ、上面２１１及び下面２１３の両面で脱落防止溝と脱落防止突起２１の接触面積を増大させて、脱落防止突起２１を脱落防止溝に強固に嵌合させることが可能になる。さらに、図６の例と同様に、上面２１１、及び下面２１３を脱落防止突起２１の隆起方向に向けて回転方向に平行な面を傾斜させれば、より一層、接触面積を増大させることができる。
【符号の説明】
【００２７】
１      墓石
２      凸部
２１    脱落防止突起
２１１  上面
２１２  側面
２１３  下面
３      凹穴
３１    ガイド溝
３２    脱落防止溝
３２１  上壁
３２２  側壁
４      衝撃吸収材
【図１】
2013147866.tif 000003
【図２】
2013147866.tif 000004
【図３】
2013147866.tif 000005
【図４】
2013147866.tif 000006
【図５】
2013147866.tif 000007
【図６】
2013147866.tif 000008
【図７】
2013147866.tif 000009
【図８】
2013147866.tif 000010
【図９】
2013147866.tif 000011
【図１０】
2013147866.tif 000012